(57)【要約】【課題】材料(紙)の消費量を減らしてコストダウンを図る。【解決手段】底板（１）に隣接する左右及び前後の側板（２）〜（５）と、左右の側板に連成されこれら側板に折り重ねられるとともに端部に形成された舌片（２Ｂ）（３Ｂ）を側板と底板との境目に形成された切り込み（１２）（１３）に差し込めるようにした側部折曲板（２Ａ）（３Ａ）と、前方の側板（４）の左右に延出され、側部折曲板と左右の側板を重ね合わせた隙間（ａ）（ｂ）に差し込まれる小フラップ（６）（７）と、底板の後方に形成された側板の左右に形成されたこの小フラップと同様の小フラップ（８）（９）と、側板に連成された蓋板（１０）と、蓋板に形成された大フラップ（１０Ａ）（１０Ｂ）と、蓋板に連成された外側板（１１）と、外側板（１１）の左右に形成され左右の側板と前方の側板との結合部分の隙間に差し込まれる差込片（１１Ａ）（１１Ｂ）とから成る。【選択図】図１
2009057115.tif 000002
【特許請求の範囲】
【請求項１】
矩形状の底板に隣接して形成される左右及び前後の側板と、
左右の側板に連成されこれら側板に折り重ねられるとともに端部に形成された舌片を側板と底板との境目に形成された切り込みに差し込めるようにした側部折曲板と、
前方の側板の左右に延出され、側部折曲板と左右の側板を重ね合わせた隙間に差し込まれる小フラップと、
底板の後方に形成された側板の左右に形成されたこの小フラップと同様の小フラップと、
後方の側板に連成された蓋板と、
この蓋板の左右に形成された大フラップと、
蓋板に連成され前方の側板を外側から覆う外側板と、
この外側板の左右に形成され左右の側板と前方の側板との結合部分の隙間に差し込まれる差込片とから成ることを特徴とするゴルフボールパッケージ。
【請求項２】
前記差込片の外側板自由端側の輪郭部分に隙間への差し込みを容易にする円弧部を形成したことを特徴とする請求項１に記載のゴルフボールパッケージ。
【請求項３】
長方形状の板紙部を最大面積となる前壁と後壁との間に１つの側壁を形成するように折線を設け、
この側壁とつながらない前壁又は後壁に折線を介して他方の側壁を連成し、
この側壁と連成されていない後壁又は前壁とを連結して長方形の箱体を形成し、
各側壁の上下には小フラップを夫々連成し、
前壁又は後壁の下方に連成された底板に形成された底フラップを小フラップを覆うように長方形の箱体内に差し込み、
前壁の上方に係合片を形成し、
後壁の上方に連成された蓋板に形成された蓋フラップを小フラップを覆うように長方形の箱体内に差し込み、
蓋板と蓋フラップとの間に形成された差し込み口に前記係合片を差し込むようにしたことを特徴とするゴルフボールパッケージ。
【発明の詳細な説明】
【技術分野】
【０００１】
本発明は、２〜５個のゴルフボールを収容した小パッケージを並列に複数収容するためのゴルフボールパッケージに関する。
【背景技術】
【０００２】
ゴルフボールを販売する場合、２〜５個程度のゴルフボールを直方体形状の小パッケージに収容し、複数個の該小パッケージを紙製のロワーケース内に収め入れ、このロワーケースに紙製の蓋を被せている。通常は３個入りの小パッケージを４個ケースに収納して１ダースとして出荷するが、４個又は５個入りの小パッケージとすることもあり、２個入りの小パッケージを用いた半ダース入りのケースとして出荷することもある。ゴルフボールパッケージのケースには、商標や各種のデザインの他、ボール特性の説明が印刷されているが、このような商標や説明文の他にさらに追加の説明やキャッチコピー（購買者の注意を惹くための文言）等を付することが望まれることがある。
【０００３】
このような要望に応えたものとして、特開２００１−４８１８６号公報（特許文献１）に記載のものが開発された。これは、複数個のゴルフボールが直方体形状の小パッケージ内に収容され、複数個の小パッケージが上開形状のロワーケース及び無底形状の蓋よりなるケース内に収容されたゴルフボールパッケージであって、該蓋は紙製であり、蓋の展開形状のシートの周縁部のフラップを折り立てたものであるゴルフボールパッケージにおいて、該蓋の該フラップの隙間に広告片の突片部が差し込まれることにより該広告片が該蓋に装着されているものである。
【特許文献１】特開２００１−４８１８６号公報
【発明の開示】
【発明が解決しようとする課題】
【０００４】
特許文献１に開示されたものも含めて、これまでのゴルフボールパッケージは、ロワーケースと蓋という組合せであり、紙（材料）の消費量も多く、コスト高であった。
【０００５】
そこで、本発明は、材料の消費量を減らしてコストダウンを図るとともに、組立ても分解もし易いゴルフボールパッケージを提供することを目的とする。
【課題を解決するための手段】
【０００６】
上述の目的を達成するため、本発明は、矩形状の底板に隣接して形成される左右及び前後の側板と、左右の側板に連成されこれら側板に折り重ねられるとともに端部に形成された舌片を側板と底板との境目に形成された切り込みに差し込めるようにした側部折曲板と、前方の側板の左右に延出され、側部折曲板と左右の側板を重ね合わせた隙間に差し込まれる小フラップと、底板の後方に形成された側板の左右に形成されたこの小フラップと同様の小フラップと、後方の側板に連成された蓋板と、この蓋板の左右に形成された大フラップと、蓋板に連成され前方の側板を外側から覆う外側板と、この外側板の左右に形成され左右の側板と前方の側板との結合部分の隙間に差し込まれる差込片とから成るものである。
【０００７】
また、本発明は、長方形状の板紙部を最大面積となる前壁と後壁との間に１つの側壁を形成するように折線を設け、この側壁とつながらない前壁又は後壁に折線を介して他方の側壁を連成し、この側壁と連成されていない後壁又は前壁とを連結して長方形の箱体を形成し、各側壁の上下には小フラップを夫々連成し、前壁又は後壁の下方に連成された底板に形成された底フラップを小フラップを覆うように長方形の箱体内に差し込み、前壁の上方に係合片を形成し、後壁の上方に連成された蓋板に形成された蓋フラップを小フラップを覆うように長方形の箱体内に差し込み、蓋板と蓋フラップとの間に形成された差し込み口に前記係合片を差し込むようにしたものである。
【発明の効果】
【０００８】
本発明によれば、矩形状の底板に隣接して形成される左右及び前後の側板と、左右の側板に連成されこれら側板に折り重ねられるとともに端部に形成された舌片を側板と底板との境目に形成された切り込みに差し込めるようにした側部折曲板と、前方の側板の左右に延出され、側部折曲板と左右の側板を重ね合わせた隙間に差し込まれる小フラップと、底板の後方に形成された側板の左右に形成されたこの小フラップと同様の小フラップと、後方の側板に連成された蓋板と、この蓋板の左右に形成された大フラップと、蓋板に連成され前方の側板を外側から覆う外側板と、この外側板の左右に形成され左右の側板と前方の側板との結合部分の隙間に差し込まれる差込片とから成るので、紙（材料）の消費量は、ロワーケースと蓋とが別々の従来のパッケージに比べて減少する。紙の使用量が削減され、環境への配慮も十分になされたものとなる。また、左右の側板は二重構造となり、紙の消費量を減らしても、箱としての強度は十分なものとなる。さらに、蓋部とそれに連成された部分を全て内側に折り込み、これの前端（蓋部先端）を前方の側板と底板との境目に落とし込んで蓋板で斜めの傾斜部分をつくれば、この傾斜部分に小パッケージに収容されたボールを展示することができる。なお、このパッケージは、全てのパーツがつながった一体のものであり、組立ても容易となり、分解も簡単である。さらにまた、蓋が別にあるものに比べて、全体の寸法がスリムとなり、省スペース化が図れ、複数のパッケージを段ボール箱に収容する場合も、段ボール箱の小型、軽量化も図ることができる。
【０００９】
また、別の本発明によれば、長方形状の板紙部を最大面積となる前壁と後壁との間に１つの側壁を形成するように折線を設け、この側壁とつながらない前壁又は後壁に折線を介して他方の側壁を連成し、この側壁と連成されていない後壁又は前壁とを連結して長方形の箱体を形成し、各側壁の上下には小フラップを夫々連成し、前壁又は後壁の下方に連成された底板に形成された底フラップを小フラップを覆うように長方形の箱体内に差し込み、前壁の上方に係合片を形成し、後壁の上方に連成された蓋板に形成された蓋フラップを小フラップを覆うように長方形の箱体内に差し込み、蓋板と蓋フラップとの間に形成された差し込み口に前記係合片を差し込むようにしたので、さらに紙（材料）の消費量を減らすことができ、かつ蓋を開けたときの開口面積が狭いので、紙板を二重に重ねて強度アップを図る必要もなく、使用材料も少なくてすむ。
【発明を実施するための最良の形態】
【００１０】
以下に本発明の実施形態について、図面を参照にして説明する。
【００１１】
図１に示す実施形態は、広い開口部を有するゴルフボールパッケージの展開図を示し、矩形状の底板１に隣接して形成される左右の側板２、３と、同様に底板１に隣接して形成される前後の側板４、５と、左右の側板２、３に連成され、各側板２、３の内面に折り重なる側部折曲板２Ａ、３Ａと、これら側部折曲板２Ａ、３Ａに形成された舌片２Ｂ、３Ｂと、前方の側板４の左右に形成された小フラップ６、７と、後方の側板５の左右に形成された小フラップ８、９とでロワーケースを構成している。図１の点線で示す個所は折線を示し、部材間の実線で示す個所は切り離されている。
【００１２】
前記後方の側壁５に連成されて蓋板１０が形成され、この蓋板１０の左右に大フラップ１０Ａ、１０Ｂ状が連成され、蓋板１０の後方には外側板１１が連成され、この外側板１１の左右には差込片１１Ａ、１１Ｂが形成されている。組立時、外側板１１は、前方の側板４を外側から覆う。なお、前方の側板４にも側部折曲板２Ａ、３Ａと同じものを形成し、この側板４の個所にも二重にすれば、箱としての強度はアップする。但し、紙量は増えてしまう。
【００１３】
図１に示すパッケージの展開図から立体の箱を組立てるには、小フラップ６、７が側板２、３の内面に重なるように、側板４の左右と後方の折線（点線）を折り曲げる。側板２、３の側部折曲板２Ａ、３Ａを側板２、３に重ね合わせるように折り曲げて２枚合わせ構造とし、舌片２Ｂ、３Ｂを側板２、３と底板１との境目に形成された切り込み１２、１３に差し込んで小フラップ６、７を側板２、３と側部折曲板２Ａ、３Ｂとでしっかりと挟み込む。後方の側板５の小フラップ８、９も、小フラップ６、７と同様に、側板２、３と側部折曲板２Ａ、３Ｂとでしっかりと挟み込む。この状態で従来のロワーケースと同様のものが組立てられる。
【００１４】
次いで、蓋板１０の四辺の折線を折り曲げ、大フラップ１０Ａ、１０Ｂを内側に折り曲げるとともに外側板１１及び差込片１１Ａ、１１Ｂも内側に折り曲げることにより、大フラップ１０Ａ、１０Ｂはロワーケースの内側へ挿入され、外側板１１を前方の側板４の外側に当てがい、差込片１１Ａ、１１Ｂを左右の側板２、３と前方の側板４との結合部分の隙間に差し込む。このとき、差込片１１Ａ、１１Ｂには、外側板１１の自由端側の輪郭部分に隙間ａ、ｂへの差し込みを容易にするための「なで肩」状の円弧部Ｒを形成しておくことにより、図２に示す隙間ａ、ｂへの差し込みがスムースになる。
【００１５】
図２は、小パッケージ（ボール３ヶ入り）１４をロワーケース相当の上面に広く開口した長方体形状の箱に４箱収容した状態を示す。大フラップ１０Ａ、１０Ｂは、両側の小パッケージ１４と側板２、３との間の隙間に挿入され、差込片１１Ａ、１１Ｂは、側板２、３と側部折曲板２Ａ、３Ｂとの間の隙間ａ、ｂに差し込む。
【００１６】
図３は、外側板１１と差込片１１Ａ、１１Ｂ、大フラップ１０Ａ、１０Ｂを蓋板１０の内側に折り重ね、この蓋板１０をロワーケースに落とし込んで、蓋板１０が傾斜した状態になったものを示す。この状態で、傾斜した蓋板１０上に小パッケージ１４を載置して販売時などに展示する。
【００１７】
図４に示す別の実施形態は、長方形状の板紙部を最大面積となる前壁２０と後壁２１との間に１つの側壁２２を形成するように折線ｆを設け、後壁２１に折線ｆを介してもう１つの側壁２３を連成してある。また、前壁２０にこの側壁２３に連結するための糊代部２４を折線ｆを介して連成してある。
【００１８】
前記各側壁２２、２３の上下には小フラップ２５〜２８を夫々連成してある。前記前壁２０の上下には折返部２９、３０を夫々連成し、前壁２０の上部に蓋部３１と蓋フラップ３２とを連成し、下部に底板３３と底フラップ３４とを連成してある。
【００１９】
前記前壁２０の上方に係合片３５を形成してある。この係合片３５は、前壁２０の上端から２本の切込みＣを入れ、２本の切込みＣを連結する折線ｆとこの折線ｆとは反対方向に折曲させるための折線ｆ´とを備え、折線ｆ´から上方に延出する部分、すなわち差し込まれる部分を有して構成されたものである。この係合片３５の延出部分が差し込まれる差し込み口３６は、蓋部３１と蓋フラップ３２との間に形成されている。
【００２０】
図５は、図４のゴルフボールパッケージを組立てた状態を示し、前壁２０の上下の折返部２９、３０を内側に折り曲げて前壁２０の内面に貼り付ける。この二重構造により所定の強度が確保される。次いで、糊代部２４に側壁２３を貼り付けて縦長の直方体形状を形成する。底部分は、小フラップ２６、２８を折り曲げ、これらを覆うように底板３３を折り曲げて底フラップ３４を箱内へ差し込む。開口部分は、細長い長方形状となり、小パッケージ１４を縦方向に収容する。小フラップ２５、２７を内側に折り曲げ、蓋板３１を折り曲げて蓋フラップ３２を箱内へ差し込み、最後に、係合片３５を差し込み口３６に差し込んで小パッケージ１４の収容を完了する。このゴルフボールパッケージでは、先の実施形態のように販売時に中味を展示する状態をつくることはできない。
【図面の簡単な説明】
【００２１】
【図１】本発明の実施形態を示す展開図。
【図２】小パッケージを収めた状態の斜視図。
【図３】展示用の状態を示す斜視図。
【図４】別の実施形態のパッケージの展開図。
【図５】図４を組立てた状態の斜視図。
【符号の説明】
【００２２】
１    底板
２、３、４、５    側板
２Ａ、３Ａ    側部折曲板
２Ｂ、３Ｂ    舌片
６、７、８、９    小フラップ
１０    蓋板
１０Ａ、１０Ｂ    大フラップ
１１    外側板
１１Ａ、１１Ｂ    差込片
１２、１３    切り込み
ａ、ｂ    隙間
【図１】
2009057115.tif 000003
【図２】
2009057115.tif 000004
【図３】
2009057115.tif 000005
【図４】
2009057115.tif 000006
【図５】
2009057115.tif 000007